(57)【要約】【課題】降雨レーダにより観測される降雨強度の情報を利用して降雨量を算定するための降雨量算定装置において、複雑な演算処理を要することなく、狭い地域や場所で個別に且つ容易に実用精度の降雨量を算定して利用することを可能にする。【解決手段】降雨レーダにより観測される降雨強度データＲｎに実測との誤差が含まれるのは不可避であるとの実態に基づき、当該降雨レーダにより一定周期（例えば５分毎）で観測された降雨強度データＲ１〜Ｒ１２を一定時間（例えば１時間）取得して保存し、保存された各降雨強度データＲ１〜Ｒ１２を、それぞれその値が含まれる降雨レンジに応じて予め設定された換算値（レンジ中央値：実施例１）に換算した降雨強度換算データＲ１′〜Ｒ１２′として再保存する。そして、降雨強度換算データＲ１′〜Ｒ１２′の総和をそのデータ取得回数（ｎ＝１２）で除算して一定時間あたりの総降雨量ＲＴを算定する。【選択図】      図４
2014006119.tif 000002
【特許請求の範囲】
【請求項１】
降雨強度を複数のレンジに区分した降雨レンジを記憶する降雨レンジ記憶手段と、
この降雨レンジ記憶手段により記憶された降雨レンジの区分された複数のレンジ毎に当該レンジ内の換算値を予め設定する換算値設定手段と、
降雨レーダにより一定周期で観測される降雨強度を取得する降雨強度取得手段と、
この降雨強度取得手段により取得された降雨強度をその値が含まれる前記降雨レンジのレンジ毎に前記換算値設定手段により設定された換算値に換算する降雨強度換算手段と、
この降雨強度換算手段により換算された各降雨強度に基づき一定時間の総降雨量を算定する総降雨量算定手段と、
を備えたことを特徴とする降雨量算定装置。
【請求項２】
前記降雨強度取得手段により一定周期で取得された各降雨強度のうち、最大の降雨強度を判定する最大降雨強度判定手段を備え、
前記降雨強度換算手段は、前記降雨強度取得手段により取得された各降雨強度のうち前記最大降雨強度判定手段により判定された最大の降雨強度はその値のままを保持する最大降雨強度保持手段と、この最大降雨強度保持手段により保持された最大の降雨強度を除く他の降雨強度についてそれぞれその値が含まれる前記降雨レンジのレンジ毎に前記換算値設定手段により設定された換算値に換算する最大除く降雨強度換算手段とを有し、
前記総降雨量算定手段は、前記降雨強度保持手段により保持された最大の降雨強度および前記最大除く降雨強度換算手段により換算された各降雨強度に基づき一定時間の総降雨量を算定する、
ことを特徴とする請求項１に記載の降雨量算定装置。
【請求項３】
前記換算値設定手段は、前記降雨レンジ記憶手段により記憶された降雨レンジの区分された複数のレンジ毎に当該レンジ内の中央値を換算値として設定することを特徴とする請求項１または請求項２に記載の降雨量算定装置。
【請求項４】
前記換算値設定手段は、前記降雨レンジ記憶手段により記憶された降雨レンジの区分された複数のレンジのうち前記最大降雨強度判定手段により判定された最大の降雨強度が含まれる最大レンジから最小レンジまでの各レンジ毎に一定の割り合いで増加または減少するレンジ内の割り合いに対応した値を換算値として設定することを特徴とする請求項２に記載の降雨量算定装置。
【請求項５】
降雨強度を複数のレンジに区分した降雨レンジを記憶する降雨レンジ記憶手段により記憶された降雨レンジの区分された複数のレンジ毎に当該レンジ内の換算値を予め設定する換算値設定ステップ、
降雨レーダにより一定周期で観測される降雨強度を取得する降雨強度取得ステップ、
この降雨強度取得ステップにより取得された降雨強度をその値が含まれる前記降雨レンジのレンジ毎に前記換算値設定ステップにより設定された換算値に換算する降雨強度換算ステップ、
この降雨強度換算ステップにより換算された各降雨強度に基づき一定時間の総降雨量を算定する総降雨量算定ステップ、
を備えたことを特徴とする降雨量算定方法。
【請求項６】
メモリを備えた計算機器のコンピュータを制御するためのプログラムであって、
前記コンピュータを、
降雨強度を複数のレンジに区分した降雨レンジを記憶する降雨レンジ記憶手段、
この降雨レンジ記憶手段により記憶された降雨レンジの区分された複数のレンジ毎に当該レンジ内の換算値を設定する換算値設定手段、
降雨レーダにより一定周期で観測される降雨強度を取得する降雨強度取得手段、
この降雨強度取得手段により取得された降雨強度をその値が含まれる前記降雨レンジのレンジ毎に前記換算値設定手段により設定された換算値に換算する降雨強度換算手段、
この降雨強度換算手段により換算された各降雨強度に基づき一定時間の総降雨量を算定する総降雨量算定手段、
として機能させるためのプログラム。
【発明の詳細な説明】
【技術分野】
【０００１】
本発明の実施形態は、降雨レーダにより観測される降雨強度の情報を利用して降雨量を算定するための降雨量算定装置、降雨量算定方法、およびその制御プログラムに関する。
【背景技術】
【０００２】
現在、国土交通省や気象庁では、降雨レーダを整備し、そのレーダを利用した降雨状況の観測を行っている。このレーダにより観測した情報は、河川の水位予測、下水道への流入量予測等へ利用されたり、日常生活では天気予報における降雨状況の現況情報として提供されたりする等、今や欠かせない情報の一つとなっている。
【０００３】
また、近年、地球温暖化やヒートアイランド現象等の影響により、局所的な豪雨(ゲリラ豪雨)が多く発生し、都市における浸水被害、河川の氾濫等、多くの被害をもたらしている。国土交通省では、このような頻発するゲリラ豪雨への対策として、平成２１年度から全国にＸバンドＭＰレーダの整備を進めている。また、気象庁では、レーダー・ナウキャストによるレーダ雨量情報の配信や、降雨ナウキャストによる降雨強度の予測情報の配信等も行っている。
【０００４】
降雨レーダは、地上雨量計がない地点(メッシュ)においても降雨強度が観測でき、またその観測が短い周期で行うことができるというメリットがあるものの、地形変化によるノイズ混入の問題や、強い降雨の地点がある場合にその裏側の地点の降雨強度の計測が難しい(信号減衰)等の問題がある。このため、降雨の傾向としては良く表すことができるものの、降雨強度の値自体が必ずしも正確な降雨強度を表しているとはいえない。
【０００５】
そして、このような降雨強度の値を利用して降雨量を算定し、前述のような予測等が行われているものの、この観測された値を直接利用することは、予測の精度を低下させる原因の一つになる。
【０００６】
このため、現在の降雨強度を取得するのに、その直前に短周期で複数回観測された降雨強度を平均化演算して取得したり、ある地点(メッシュ)における地上雨量計の実測データとの比に応じて、レーダ観測された各地点の降雨強度を補正演算して取得したりしている。
【先行技術文献】
【特許文献】
【０００７】
【特許文献１】特開平１０−１７０６６０号公報
【特許文献２】特開２０１１−８０３４７号公報
【発明の概要】
【発明が解決しようとする課題】
【０００８】
降雨レーダにより観測された降雨強度から降雨量を算定する場合、前述したように、短周期で複数回観測した降雨強度を平均化演算して利用したり、ある地点における実測データとの比に応じて、各地点の降雨強度を補正演算して利用したりすることで、レーダ観測された降雨強度に内在する誤差を抑制している。
【０００９】
しかしながら、前記平均化処理をしたり補正処理をしたりする等、複雑な演算処理をしたとしても、その降雨強度に誤差が含まれることは避けられない。
【００１０】
一方、前述した通り、局所的な豪雨(ゲリラ豪雨)への対策が急がれており、地下街や工事現場、屋外型娯楽施設など、狭い地域や場所で個別に且つ大掛かりな計算機システムを要することなく、容易に実用精度の降雨量を算定して利用したいニーズが高まっている。
【００１１】
本発明の実施形態は、このような課題に鑑みてなされたもので、複雑な演算処理を要することなく、狭い地域や場所で個別に且つ容易に実用精度の降雨量を算定して利用することが可能になる降雨量算定装置、降雨量算定方法、およびそのプログラムを提供することを目的とする。
【課題を解決するための手段】
【００１２】
降雨量算定装置の実施形態によれば、降雨強度を複数のレンジに区分した降雨レンジを降雨レンジ記憶手段により記憶し、この記憶された降雨レンジの区分された複数のレンジ毎に当該レンジ内の換算値を換算値設定手段により予め設定する。そして、降雨レーダにより一定周期で観測される降雨強度を降雨強度取得手段により取得すると、この降雨強度取得手段により取得された降雨強度が降雨強度換算手段によりその降雨強度の値が含まれる前記降雨レンジのレンジ毎に前記換算値設定手段により設定された換算値に換算され、この換算された各降雨強度に基づき一定時間の総降雨量が総降雨量算定手段により算定される。
【図面の簡単な説明】
【００１３】
【図１】実施形態の降雨量算定装置１０を組み込んだ水位・流入量等予測システムの構成を示すブロック図。
【図２】前記水位・流入量等予測システムに組み込まれた降雨量算定装置１０をパーソナルコンピュータＰＣにより実現した場合の電子回路の構成を示すブロック図。
【図３】国土交通省の降雨レーダ情報における降雨強度レンジ１２ｄの区分例を示す図。
【図４】前記降雨量算定装置１０の降雨量算定処理（実施例１）を示すフローチャート。
【図５】前記降雨量算定装置１０の降雨量算定処理（実施例１）においてレンジ換算値設定メモリ１６ｅに記憶される降雨レンジ１区分毎の設定データを説明する図。
【図６】前記降雨量算定装置１０の降雨量算定処理（実施例１ａ）においてレンジ換算値設定メモリ１６ｅに記憶される降雨レンジ１区分毎の設定データを説明する図であり、同図（Ａ）は具体例１を説明する図、同図（Ｂ）は具体例２を説明する図。
【図７】前記降雨量算定装置１０の降雨量算定処理（実施例２）を示すフローチャート。
【図８】前記降雨量算定装置１０の降雨量算定処理（実施例２）においてレンジ換算値設定メモリ１６ｅに記憶される降雨レンジ１区分毎の設定データを説明する図。
【図９】前記降雨量算定装置１０の降雨量算定処理（実施例１′）においてレンジ換算値設定メモリ１６ｅに記憶される１５区分の降雨レンジ１２ｄ′と各区分毎の設定データを説明する図。
【図１０】前記降雨量算定装置１０の降雨量算定処理（実施例１ａ′）においてレンジ換算値設定メモリ１６ｅに記憶される１５区分の降雨レンジ１２ｄ′と各区分毎の設定データを説明する図であり、同図（Ａ）は具体例１を説明する図、同図（Ｂ）は具体例２を説明する図。
【図１１】前記降雨量算定装置１０の降雨量算定処理（実施例２′）においてレンジ換算値設定メモリ１６ｅに記憶される１５区分の降雨レンジ１２ｄ′と各区分毎の設定データを説明する図。
【図１２】降雨レーダＲａにより一定周期（５分毎）で一定時間（１時間）観測されたあるメッシュ（地点）の降雨強度データＲ１〜Ｒ１２に基づいて前記各実施例１，１ａ，２，１′，１ａ′，２′の降雨量算定処理に従い総降雨量ＲＴ（ｍｍ）を算定した場合の実測値との誤差を対比して示す図であり、同図（Ａ）は、当該降雨強度データＲ１〜Ｒ１２の変化を示すグラフ、同図（Ｂ）は、当該降雨強度データＲ１〜Ｒ１２の実施例毎の換算値Ｒ１′〜Ｒ１２′と算定された総降雨量ＲＴ（ｍｍ）を実測値と対比させて示すテーブル。
【発明を実施するための形態】
【００１４】
以下、実施の形態について、図面を参照して説明する。
【００１５】
図１は、実施形態の降雨量算定装置１０を組み込んだ水位・流入量等予測システムの構成を示すブロック図である。
【００１６】
図２は、前記水位・流入量等予測システムに組み込まれた降雨量算定装置１０をパーソナルコンピュータＰＣにより実現した場合の電子回路の構成を示すブロック図である。
【００１７】
水位・流入量等予測システム（図１参照）において、降雨レーダＲａは、ある観測範囲の降雨の状況を観測する装置であり、上空に電波Ｅを発信し、雲Ｃや雨滴Ｗ等にぶつかって反射される電波Ｅを受信する。
【００１８】
信号処理サーバＳＶｓは、前記降雨に反射され受信された電波Ｅを信号処理し、各メッシュにおける降雨強度Ｒに換算する処理を行う。
【００１９】
配信用サーバＳＶｄは、各メッシュにおける降雨強度Ｒを、ネットワークＮに配信するためのデータフォーマットに変換し、そのデータの配信を行う。
【００２０】
降雨量算定装置１０は、前記配信用サーバＳＶｄから、ネットワークＮを経由して配信された降雨強度データＲを受信し、降雨強度Ｒの換算や降雨量ＲＴの算定を行う。
【００２１】
予測演算装置２０は、前記降雨量算定装置１０により換算された降雨強度Ｒや算定された降雨量ＲＴに基づいて、河川の水位予測、下水道への流入量予測等、各種の予測演算処理を行う。
【００２２】
前記降雨レーダＲａにより観測された降雨強度Ｒは、天気予報やインターネット（Ｎ）上の降雨現況配信サイト等において、メッシュ情報として表示される。これにより、その時点における各エリアの降雨の強弱を容易に把握することができる。
【００２３】
図３は、国土交通省の降雨レーダ情報における降雨強度レンジ１２ｄの区分例を示す図である。
【００２４】
降雨強度レンジ１２ｄは、表示上において、100mm/hより大きい(紫色)、50mm/hより大きく100mm/h以下(赤色)、20mm/hより大きく50mm/h以下(橙色)、10mm/hより大きく20mm/h以下(黄色)、5mm/hより大きく10mm/h以下(緑色)、1mm/hより大きく5mm/h以下(青色)、0mm/hより大きく1mm/h以下(水色)、および0mm/h(色なし)の８つの区分に分けられている。降雨レーダＲａにより観測された各メッシュの降雨強度Ｒは、これらの降雨強度レンジ１２ｄの区分に応じて地図上に表示される。
【００２５】
降雨量算定装置（ＰＣ）１０（図２参照）において、この降雨量算定装置（ＰＣ）１０はコンピュータであるＣＰＵ（中央処理装置）１１を備えている。
【００２６】
ＣＰＵ１１は、記憶装置１２に予め記憶された装置制御プログラム、あるいはＣＤ−ＲＯＭやメモリカードなどの外部記録媒体１３から記録媒体読み取り部を介して記憶装置１２に読み込まれた装置制御プログラム、あるいはインターネット上のＷｅｂサーバ（プログラムサーバ）から通信部１５を介してダウンロードされ記憶装置１２に記憶された装置制御プログラムに従い、ＲＡＭ１６を作業用メモリとして回路各部の動作を制御する。
【００２７】
前記記憶装置１２に記憶される装置制御プログラムとしては、基本的なユーザ環境を管理・制御するためのシステムプログラム１２ａ、インターネットなどの外部の通信ネットワークＮと通信するための通信制御プログラム１２ｂの他、前記降雨レーダＲａにより観測された指定のメッシュ（地点）の降雨強度データＲ１〜Ｒｎに基づき総降雨量ＲＴを算定するための降雨量算定プログラム１２ｃなどが記憶される。
【００２８】
これらの装置制御プログラム１２ａ〜１２ｃは、キー入力部１７からのユーザ操作に伴う入力信号や通信部１５を介して外部装置から受信される通信信号等に応じてＣＰＵ１１により起動・実行され、回路各部の動作が制御されることで、ハードウエアとソフトウエアとが協働し、降雨量算定機能等の各種の機能を実現する。
【００２９】
また、前記記憶装置１２には、前記図３で示した降雨強度レンジの区分からなる降雨レンジデータ１２ｄが記憶される。
【００３０】
ＲＡＭ１６には、データカウンタメモリ（ｎ）１６ａ、経過時間メモリ（Ｔ）１６ｂ、降雨強度データ（Ｒ１〜Ｒｎ）メモリ１６ｃ、最大降雨強度データ（ＲｎMAX）メモリ１６ｄ、レンジ換算値設定メモリ１６ｅ、総降雨量データ（ＲＴ）メモリ１６ｆ等が確保される。
【００３１】
データカウンタメモリ（ｎ）１６ａには、各種の制御処理において、データの取得回数をカウントするためのカウントデータｎが記憶される。
【００３２】
経過時間メモリ（Ｔ）１６ｂには、各種の制御処理において、処理開始からの経過時間Ｔが記憶される。
【００３３】
降雨強度データ（Ｒ１〜Ｒｎ）メモリ１６ｃには、前記降雨量算定プログラム１２ｃに従った降雨量算定処理において、前記降雨レーダＲａにより一定周期（例えば５分毎）で一定時間観測された降雨強度データＲ１〜Ｒｎが順次記憶されて保存される。
【００３４】
最大降雨強度データ（ＲｎMAX）メモリ１６ｄには、前記降雨レーダＲａにより一定周期で一定時間観測された降雨強度データＲ１〜Ｒｎのうち最大値の降雨強度データＲｎMAXが記憶される。
【００３５】
レンジ換算値設定メモリ１６ｅには、前記降雨強度データメモリ１６ｃに記憶された降雨強度データＲ１〜Ｒｎを、当該各降雨強度データＲ１，…，Ｒｎが含まれる降雨レンジ１２ｄ毎に予め設定された換算値に換算するための設定データが記憶される。
【００３６】
なお、前記降雨強度データＲ１〜Ｒｎの降雨レンジ１２ｄに応じた換算後の降雨強度データＲ１′〜Ｒｎ′は、前記降雨強度データメモリ１６ｃに再記憶され保存される。
【００３７】
総降雨量データ（ＲＴ）メモリ１６ｆには、前記降雨強度データメモリ１６ｃに再記憶されて保存された降雨レンジ１２ｄに応じた換算後の降雨強度データＲ１′〜Ｒｎ′に基づき計算された総降雨量データＲＴ（mm）が記憶される。
【００３８】
このように、前記ＣＰＵ１１には、記憶装置１２、記録媒体読み取り部１４、通信部１５、ＲＡＭ１６、キー入力部１７のほか、表示部１８が接続される。
【００３９】
次に、前記構成による降雨量算定装置（ＰＣ）１０による降雨量算定機能について説明する。
【００４０】
（実施例１）
図４は、前記降雨量算定装置１０の降雨量算定処理（実施例１）を示すフローチャートである。この手順は、降雨量算定の対象地域の複数のメッシュに対して実行される。
【００４１】
この降雨量算定処理（実施例１）において、レンジ換算値設定メモリ１６ｅには、記憶装置１２に記憶された降雨レンジ１２ｄ（図３参照）の１区分毎にその中央値を換算値とする設定データが記憶される。
【００４２】
降雨レーダＲａにより一定周期で観測される希望地点（メッシュ）の降雨強度データＲ１，…，Ｒｎに基づき一定時間の総降雨量ＲＴを算定する際に、ユーザ操作に応じて降雨量算定プログラム１２ｃが起動されると、図４における降雨量算定処理（実施例１）に従い、先ず、データカウンタメモリ１６ａに記憶される降雨強度データＲのデータ取得回数ｎが“１”に初期設定されると共に、経過時間メモリ１６ｂに記憶される経過時間Ｔが“０”にリセットされる（ステップＳ１）。
【００４３】
そして、降雨レーダＲａの観測周期（例えば５分）毎に当該レーダＲａにより観測された希望地点の降雨強度データＲ１，Ｒ２，…がネットワークＮを経由して取得されると（ステップＳ２）、取得された降雨強度データＲ１，Ｒ２，…は、降雨強度データメモリ１６ｃに順次記憶されて保存され（ステップＳ３）、その都度、前記データカウンタメモリ１６ａに記憶されるデータ取得回数ｎがカウントアップされる（ステップＳ４）。
【００４４】
すると、前記経過時間メモリ１６ｂに記憶される経過時間Ｔが一定時間（例えば１時間（１ｈ））経過したか否か判断され（ステップＳ５）、一定時間経過していないと判断されると（ステップＳ５（Ｎｏ））、前記同様に、降雨レーダＲａにより観測された次の降雨強度データＲｎが取得され（ステップＳ２）、降雨強度データメモリ１６ｃに保存されると共に（ステップＳ３）、データ取得回数ｎがカウントアップされる（ステップＳ４）。
【００４５】
こうして、前記ステップＳ２〜Ｓ５の処理が繰り返し実行され、一定時間Ｔ（＝１ｈ）の間に一定周期（５分毎）で繰り返し取得された降雨強度データＲ１〜Ｒ１２が降雨強度データメモリ１６ｃに保存されたと判断されると（ステップＳ５（Ｙｅｓ））、当該保存された各降雨強度データＲ１〜Ｒ１２は、レンジ換算値設定メモリ１６ｅに記憶された設定データに従い、それぞれその値が含まれる降雨レンジ１２ｄの中央値に換算され、降雨強度換算データＲ１′〜Ｒ１２′として降雨強度データメモリ１６ｃに再保存される（ステップＳ６）。
【００４６】
なお、ここでは１時間に亘る測定時間で降雨量算定を５分周期で１２回観測して取得されたデータにより行う例であるが、１分間周期で６０回観測する組合せでも同様に１時間降雨量の算定が実行されたこととなる。測定経過時間とそれに対する測定間隔と測定回数については、レーダシステムの測定（運用）条件、性能等によって組合せ条件が設定される。
【００４７】
図５は、前記降雨量算定装置１０の降雨量算定処理（実施例１）においてレンジ換算値設定メモリ１６ｅに記憶される降雨レンジ１区分毎の設定データを説明する図である。
【００４８】
すなわち、この降雨量算定処理（実施例１）では、降雨レーダＲａから取得した降雨強度データＲ１〜Ｒｎをその各値が含まれるレンジ区分の中央値に換算する。
【００４９】
具体的には、得られた各降雨強度データＲ１〜Ｒｎの値が、100mm/hより大きく200mm/h以下のレンジに含まれる場合は150mm/hに、50mm/hより大きく100mm/h以下のレンジに含まれる場合は75mm/hに、20mm/hより大きく50mm/h以下のレンジに含まれる場合は35mm/hに、10mm/hより大きく20mm/h以下のレンジに含まれる場合は15mm/hに、5mm/hより大きく10mm/h以下のレンジに含まれる場合は7.5mm/hに、1mm/hより大きく5mm/h以下のレンジに含まれる場合は3mm/hに、0mm/hより大きく1mm/h以下のレンジに含まれる場合は0.5mm/hに、0mm/hはそのまま0mm/hにそれぞれ換算され、降雨強度換算データＲ１′〜Ｒ１２′として再保存される。
【００５０】
すると、前記降雨強度データメモリ１６ｃに保存された降雨強度換算データＲ１′〜Ｒ１２′の総和を前記データ取得回数ｎ（＝１２）で除算してなる総降雨量ＲＴ(mm)が算定され総降雨量データメモリ１６ｆに記憶される（ステップＳ７）。
【００５１】
そして、前記総降雨量データメモリ１６ｆに記憶された希望地点の一定時間Ｔ（＝１ｈ）の総降雨量ＲＴ(mm)は、必要に応じて予測演算装置２０へ出力され（ステップＳ８）、河川の水位予測演算処理や下水道への流入量予測演算処理等に利用される。
【００５２】
なお、前記降雨量算定装置１０の降雨量算定処理（実施例１）のステップＳ６では、降雨強度データメモリ１６ａに取得保存された全ての降雨強度データＲ１〜Ｒｎについて、レンジ換算値設定メモリ１６ｅに記憶されたレンジ区分の中央値へ換算する設定データに従い、各値が含まれるレンジ区分の中央値に換算する構成とした。
【００５３】
次の図６を参照して説明する降雨量算定処理（実施例１ａ）では、降雨強度データＲ１〜Ｒｎのうち最大値ＲｎMAXは換算せずにそのままの値とし、これを除いた他の降雨強度データＲ１〜Ｒｎ（除くＲｎMAX）を各値が含まれるレンジ区分の中央値に換算する。
【００５４】
（実施例１ａ）
図６は、前記降雨量算定装置１０の降雨量算定処理（実施例１ａ）においてレンジ換算値設定メモリ１６ｅに記憶される降雨レンジ１区分毎の設定データを説明する図であり、同図（Ａ）は具体例１を説明する図、同図（Ｂ）は具体例２を説明する図である。
【００５５】
すなわち、この降雨量算定処理（実施例１ａ）では、降雨レーダＲａから取得した降雨強度データＲ１〜Ｒｎのうち、最大値ＲｎMAXについてはその値ＲｎMAXをそのまま再保存し、これを除いた他の降雨強度データＲ１〜Ｒｎ（除くＲｎMAX）については、その各値が含まれるレンジ区分の中央値に換算して再保存する。
【００５６】
具体的には、図６（Ａ）に具体例１を示すように、取得された各降雨強度データＲ１〜Ｒｎのうち最大値ＲｎMAXが40mm/hであった場合、この最大値ＲｎMAX（＝40mm/h）が含まれる降雨レンジ１２ｄは、20mm/hより大きく50mm/h以下のレンジとなるので、このレンジの降雨強度については、計測された降雨強度の値ＲｎMAX（＝40mm/h）と同じ値とする。そして、それ以下の降雨レンジ１２ｄについては、取得された降雨強度Ｒ１〜Ｒｎ（除くＲｎMAX）に応じて、10mm/hより大きく20mm/h以下のレンジに含まれる場合は15mm/hに、5mm/hより大きく10mm/h以下のレンジに含まれる場合は7.5mm/hに、1mm/hより大きく5mm/h以下のレンジに含まれる場合は3mm/hに、0mm/hより大きく1mm/h以下のレンジに含まれる場合は0.5mm/hに、0mm/hはそのまま0mm/hにそれぞれ換算され、降雨強度換算データＲ１′〜Ｒ１２′として再保存される。
【００５７】
また、図６（Ｂ）に具体例２を示すように、取得された各降雨強度データＲ１〜Ｒｎのうち最大値ＲｎMAXが120mm/hであった場合、この最大値ＲｎMAX（＝120mm/h）が含まれる降雨レンジ１２ｄは、100mm/hより大きく200mm/h以下のレンジとなるので、このレンジの降雨強度については、計測された降雨強度の値ＲｎMAX（＝120mm/h）と同じ値とする。そして、それ以下の降雨レンジ１２ｄについては、取得された降雨強度Ｒ１〜Ｒｎ（除くＲｎMAX）に応じて、50mm/hより大きく100mm/h以下のレンジに含まれる場合は75mm/hに、20mm/hより大きく50mm/h以下のレンジに含まれる場合は35mm/hに、10mm/hより大きく20mm/h以下のレンジに含まれる場合は15mm/hに、5mm/hより大きく10mm/h以下のレンジに含まれる場合は7.5mm/hに、1mm/hより大きく5mm/h以下のレンジに含まれる場合は3mm/hに、0mm/hより大きく1mm/h以下のレンジに含まれる場合は0.5mm/hに、0mm/hはそのまま0mm/hにそれぞれ換算され、降雨強度換算データＲ１′〜Ｒ１２′として再保存される。
【００５８】
なお、前記降雨量算定装置１０の降雨量算定処理（実施例１）（実施例１ａ）では、降雨レーダＲａから取得された各降雨強度データＲ１〜Ｒｎについて、それぞれその値が含まれる降雨レンジ１２ｄのレンジ区分の中央値に換算することを主体として説明した。
【００５９】
次の図７、図８を参照して説明する降雨量算定処理（実施例２）では、降雨強度データＲ１〜Ｒｎのうち最大値ＲｎMAXは換算せずにそのままの値とし、これを除いた他の降雨強度データＲ１〜Ｒｎ（除くＲｎMAX）については、前記最大値ＲｎMAXが含まれる最大降雨レンジ内での同最大値ＲｎMAXの割り合いを基準に、以下最小降雨レンジとの間の各レンジ区分で一定の割り合いで増加（または減少）する割り合いに対応した値を、該当するレンジ区分に含まれる降雨強度データＲ１〜Ｒｎの換算値として設定する。
【００６０】
（実施例２）
図７は、前記降雨量算定装置１０の降雨量算定処理（実施例２）を示すフローチャートである。この手順は、実施例１と同様に降雨量算定の対象地域の複数のメッシュに対して実行される。
【００６１】
図８は、前記降雨量算定装置１０の降雨量算定処理（実施例２）においてレンジ換算値設定メモリ１６ｅに記憶される降雨レンジ１区分毎の設定データを説明する図である。
【００６２】
この図７に示す降雨量算定処理（実施例２）において、前記図４で示した降雨量算定処理（実施例１）と同じ内容の処理ステップについては、同じステップ符号Ｓ１〜Ｓ５を付してその説明を省略する。
【００６３】
すなわち先ず、一定周期（５分毎）で一定時間Ｔ（＝１ｈ）の間、降雨レーダＲａから順次取得された希望地点の各降雨強度データＲ１〜Ｒ１２が降雨強度データメモリ１６ｃに記憶されて保存される（ステップＳ１〜Ｓ５）。
【００６４】
すると、降雨強度データメモリ１６ｃに保存された各降雨強度データＲ１〜Ｒ１２のうち、最大値の降雨強度データＲｎMAXが判定される（ステップＳ６ａ）。
【００６５】
そして、前記最大値ＲｎMAXが含まれる降雨レンジ以下の各降雨レンジ毎に、その最大降雨レンジ内での前記最大値ＲｎMAXが位置する割り合いを基準に、最小降雨レンジとの間で一定の割り合いで増加（又は減少）する割り合いに対応した値を、各該当レンジでの換算値として設定しレンジ換算値設定メモリ１６ｅに記憶させる（ステップＳ６ｂ）。
【００６６】
すると、前記最大降雨強度データＲｎMAXを除く各降雨強度データＲ１〜Ｒ１２が、その各値が含まれる降雨レンジ毎に前記レンジ換算値設定メモリ１６ｅに記憶された換算値に換算され、各降雨強度換算データＲ１′〜Ｒ１２′として降雨強度データメモリ１６ｃに再保存される（ステップＳ６ｃ）。
【００６７】
すなわち、図８で示すように、取得された各降雨強度データＲ１〜Ｒｎのうち最大値ＲｎMAXが75mm/hであった場合、最大の降雨レンジは、50mm/hより大きく100mm/h以下のレンジとなるが、この最大降雨強度ＲｎMAXを含むレンジについては、計測された降雨強度75mm/hをそのまま使用する。
【００６８】
そして、前記最大降雨強度ＲｎMAX（＝75mm/h）は、該当レンジの50％の割り合いにあたるので、以下の各レンジについては、0mm/hレンジを除いて、最小のレンジである0mm/hより大きく1mm/h以下のレンジがその100％の割り合いにあたる1mm/hになるように、各レンジ内の割り合いを一定の割り合いで増加させた割り合いに対応する値を換算値として設定する。
【００６９】
従って、50mm/hより大きく100mm/h以下のレンジについては、前記最大降雨強度ＲｎMAX（＝75mm/h）のままとなり、20mm/hより大きく50mm/h以下のレンジに含まれる場合は38mm/h(そのレンジの60％の値)に、10mm/hより大きく20mm/h以下のレンジに含まれる場合は17mm/h(そのレンジの70％の値)に、5mm/hより大きく10mm/h以下のレンジに含まれる場合は9mm/h(そのレンジの80％の値)に、1mm/hより大きく5mm/h以下のレンジに含まれる場合は4.6mm/h(そのレンジの90％の値)に、0mm/hより大きく1mm/h以下のレンジに含まれる場合は1mm/h(そのレンジの100％の値)に、0mm/hはそのまま0mm/hに、それぞれの降雨強度データＲ１〜Ｒ１２（除くＲｎMAX）が換算されて再保存される。
【００７０】
なお、この図８で示す具体例では、最小のレンジである0mm/hより大きく1mm/h以下のレンジに含まれる場合をその100％にあたる値に換算するとしたが、これに限定されるものではない。
【００７１】
すると、前記降雨強度データメモリ１６ｃに保存された前記最大降雨強度データＲｎMAXと各降雨強度換算データＲ１′〜Ｒ１２′（除くＲｎMAX）の総和を前記データ取得回数ｎ（＝１２）で除算してなる総降雨量ＲＴ(mm)が算定され総降雨量データメモリ１６ｆに記憶される（ステップＳ７ａ）。
【００７２】
そして、前記総降雨量データメモリ１６ｆに記憶された希望地点の一定時間Ｔ（＝１ｈ）の総降雨量ＲＴ(mm)は、必要に応じて予測演算装置２０へ出力され（ステップＳ８）、河川の水位予測演算処理や下水道への流入量予測演算処理等に利用される。
【００７３】
なお、ここまで降雨量算定装置１０の降雨量算定処理（実施例１）（実施例１ａ）（実施例２）について説明したが、以下、それぞれの実施例の変形例に相当する（実施例１′）（実施例１ａ′）（実施例２′）について順番に説明する。
【００７４】
（実施例１′）
この降雨量算定装置１０の降雨量算定処理（実施例１′）では、記憶装置１２に記憶された８区分の降雨レンジ１２ｄに基づき、その0mm/hの区分を除いた７区分を２分割してなる１５区分の降雨レンジ１２′を定め、各降雨レンジ１２′の中央値を換算値として設定する。
【００７５】
図９は、前記降雨量算定装置１０の降雨量算定処理（実施例１′）においてレンジ換算値設定メモリ１６ｅに記憶される１５区分の降雨レンジ１２ｄ′と各区分毎の設定データを説明する図である。
【００７６】
すなわち、図９に示すように、まず100mm/hより大きいレンジ(ここではレンジとして、100mm/hより大きく200mm/h以下のレンジとして扱う)を、100mm/hより大きく150mm/h以下のレンジと150mm/hより大きく200mm/h以下のレンジとの２区分に、50mm/hより大きく100mm/h以下のレンジを、50mm/hより大きく75mm/h以下のレンジと75mm/hより大きく100mm/h以下のレンジとの２区分に、20mm/hより大きく50mm/h以下のレンジを、20mm/hより大きく35mm/h以下のレンジと35mm/hより大きく50mm/h以下のレンジとの２区分に、10mm/hより大きく20mm/h以下のレンジを、10mm/hより大きく15mm/h以下のレンジと15mm/hより大きく20mm/h以下のレンジとの２区分に、5mm/hより大きく10mm/h以下のレンジを、5mm/hより大きく7.5mm/h以下のレンジと7.5mm/hより大きく10mm/h以下のレンジとの２区分に、1mm/hより大きく5mm/h以下のレンジを、1mm/hより大きく3mm/h以下のレンジと3mm/hより大きく5mm/h以下のレンジとの２区分に、0mm/hより大きく1mm/h以下のレンジを、0mm/hより大きく0.5mm/h以下のレンジと0.5mm/hより大きく1mm/h以下のレンジとの２区分に、それぞれ分割する。
【００７７】
そして、分割された降雨レンジ１２ｄ′について、降雨レーダＲａから取得された降雨強度データＲ１〜Ｒ１２が、150mm/hより大きく200mm/h以下のレンジに含まれる場合は175mm/hに、100mm/hより大きく150mm/h以下のレンジに含まれる場合は125mm/hに、75mm/hより大きく100mm/h以下のレンジに含まれる場合は87.5mm/hに、50mm/hより大きく75mm/h以下のレンジに含まれる場合は62.5mm/hに、35mm/hより大きく50mm/h以下のレンジに含まれる場合は42.5mm/hに、20mm/hより大きく35mm/h以下のレンジに含まれる場合は27.5mm/hに、15mm/hより大きく20mm/h以下のレンジに含まれる場合は17.5mm/hに、10mm/hより大きく15mm/h以下のレンジに含まれる場合は12.5mm/hに、7.5mm/hより大きく10mm/h以下のレンジに含まれる場合は8.75mm/hに、5mm/hより大きく7.5mm/h以下のレンジに含まれる場合は6.25mm/hに、3mm/hより大きく5mm/h以下のレンジに含まれる場合は4mm/hに、1mm/hより大きく3mm/h以下のレンジに含まれる場合は2mm/hに、0.5mm/hより大きく1mm/h以下のレンジに含まれる場合は0.75mm/hに、0mm/hより大きく0.5mm/h以下のレンジに含まれる場合は0.25mm/hに、0mm/hはそのまま0mm/hにそれぞれ換算され、降雨強度換算データＲ１′〜Ｒ１２′として再保存される。
【００７８】
（実施例１ａ′）
この降雨量算定装置１０の降雨量算定処理（実施例１ａ′）では、記憶装置１２に記憶された８区分の降雨レンジ１２ｄに基づき、その0mm/hの区分を除いた７区分を２分割してなる１５区分の降雨レンジ１２′を定める。
【００７９】
そして、降雨強度データＲ１〜Ｒｎのうち最大値ＲｎMAXは換算せずにそのままの値とし、これを除いた他の降雨強度データＲ１〜Ｒｎ（除くＲｎMAX）を各値が含まれるレンジ区分の中央値に換算する。
【００８０】
図１０は、前記降雨量算定装置１０の降雨量算定処理（実施例１ａ′）においてレンジ換算値設定メモリ１６ｅに記憶される１５区分の降雨レンジ１２ｄ′と各区分毎の設定データを説明する図であり、同図（Ａ）は具体例１を説明する図、同図（Ｂ）は具体例２を説明する図である。
【００８１】
具体的には、図１０（Ａ）に具体例１を示すように、取得された各降雨強度データＲ１〜Ｒｎのうち最大値ＲｎMAXが40mm/hであった場合、この最大値ＲｎMAX（＝40mm/h）が含まれる降雨レンジ１２ｄ′は、35mm/hより大きく50mm/h以下のレンジとなるので、このレンジの降雨強度については、計測された降雨強度の値ＲｎMAX（＝40mm/h）と同じ値とする。そして、それ以下の降雨レンジ１２ｄ′については、取得された降雨強度Ｒ１〜Ｒｎ（除くＲｎMAX）に応じて、20mm/hより大きく35mm/h以下のレンジに含まれる場合は27.5mm/hに、15mm/hより大きく20mm/h以下のレンジに含まれる場合は17.5mm/hに、10mm/hより大きく15mm/h以下のレンジに含まれる場合は12.5mm/hに、7.5mm/hより大きく10mm/h以下のレンジに含まれる場合は8.75mm/hに、5mm/hより大きく7.5mm/h以下のレンジに含まれる場合は6.25mm/hに、3mm/hより大きく5mm/h以下のレンジに含まれる場合は4mm/hに、1mm/hより大きく3mm/h以下のレンジに含まれる場合は2mm/hに、0.5mm/hより大きく1mm/h以下のレンジに含まれる場合は0.75mm/hに、0mm/hより大きく0.5mm/h以下のレンジに含まれる場合は0.25mm/hに、0mm/hはそのまま0mm/hにそれぞれ換算され、降雨強度換算データＲ１′〜Ｒ１２′として再保存される。
【００８２】
また、図１０（Ｂ）に具体例２を示すように、取得された各降雨強度データＲ１〜Ｒｎのうち最大値ＲｎMAXが120mm/hであった場合、この最大値ＲｎMAX（＝120mm/h）が含まれる降雨レンジ１２ｄ′は、100mm/hより大きく150mm/h以下のレンジとなるので、このレンジの降雨強度については、計測された降雨強度の値ＲｎMAX（＝120mm/h）と同じ値とする。そして、それ以下の降雨レンジ１２ｄについては、取得された降雨強度Ｒ１〜Ｒｎ（除くＲｎMAX）に応じて、75mm/hより大きく100mm/h以下のレンジに含まれる場合は87.5mm/hに、50mm/hより大きく75mm/h以下のレンジに含まれる場合は62.5mm/hに、35mm/hより大きく50mm/h以下のレンジに含まれる場合は42.5mm/hに、20mm/hより大きく35mm/h以下のレンジに含まれる場合は27.5mm/hに、15mm/hより大きく20mm/h以下のレンジに含まれる場合は17.5mm/hに、10mm/hより大きく15mm/h以下のレンジに含まれる場合は12.5mm/hに、7.5mm/hより大きく10mm/h以下のレンジに含まれる場合は8.75mm/hに、5mm/hより大きく7.5mm/h以下のレンジに含まれる場合は6.25mm/hに、3mm/hより大きく5mm/h以下のレンジに含まれる場合は4mm/hに、1mm/hより大きく3mm/h以下のレンジに含まれる場合は2mm/hに、0.5mm/hより大きく1mm/h以下のレンジに含まれる場合は0.75mm/hに、0mm/hより大きく0.5mm/h以下のレンジに含まれる場合は0.25mm/hに、0mm/hはそのまま0mm/hにそれぞれ換算され、降雨強度換算データＲ１′〜Ｒ１２′として再保存される。
【００８３】
（実施例２′）
この降雨量算定装置１０の降雨量算定処理（実施例２′）では、記憶装置１２に記憶された８区分の降雨レンジ１２ｄに基づき、その0mm/hの区分を除いた７区分を２分割してなる１５区分の降雨レンジ１２′を定める。
【００８４】
そして、降雨強度データＲ１〜Ｒｎのうち最大値ＲｎMAXは換算せずにそのままの値とし、これを除いた他の降雨強度データＲ１〜Ｒｎ（除くＲｎMAX）については、前記最大値ＲｎMAXが含まれる最大降雨レンジ内での同最大値ＲｎMAXの割り合いを基準に、以下最小降雨レンジとの間の各レンジ区分で一定の割り合いで増加（または減少）する割り合いに対応した値を、該当するレンジ区分に含まれる降雨強度データＲ１〜Ｒｎの換算値として設定する。
【００８５】
図１１は、前記降雨量算定装置１０の降雨量算定処理（実施例２′）においてレンジ換算値設定メモリ１６ｅに記憶される１５区分の降雨レンジ１２ｄ′と各区分毎の設定データを説明する図である。
【００８６】
具体的には、図１１に示すように、取得された各降雨強度データＲ１〜Ｒｎのうち最大値ＲｎMAXが62.5mm/hであった場合、最大の降雨レンジは、50mm/hより大きく75mm/h以下のレンジとなるが、この最大降雨強度ＲｎMAXを含むレンジについては、計測された降雨強度62.5mm/hをそのまま使用する。
【００８７】
そして、前記最大降雨強度ＲｎMAX（＝62.5mm/h）は、該当レンジの50％の割り合いにあたるので、以下の各レンジについては、0mm/hレンジを除いて、最小のレンジである0mm/hより大きく0.5mm/h以下のレンジがその100％の割り合いにあたる1mm/hになるように、各レンジ内の割り合いを一定の割り合いで増加させた割り合いに対応する値を換算値として設定する。
【００８８】
従って、50mm/hより大きく75mm/h以下のレンジについては、前記最大降雨強度ＲｎMAX（＝62.5mm/h）のままとなり、35mm/hより大きく50mm/h以下のレンジに含まれる場合は43.25mm/h(そのレンジの55％の値)に、20mm/hより大きく35mm/h以下のレンジに含まれる場合は29mm/h(そのレンジの60％の値)に、15mm/hより大きく20mm/h以下のレンジに含まれる場合は18.25mm/h(そのレンジの65％の値)に、10mm/hより大きく15mm/h以下のレンジに含まれる場合は13.5mm/h(そのレンジの70％の値)に、7.5mm/hより大きく10mm/h以下のレンジに含まれる場合は8.75mm/h(そのレンジの75％の値)に、5mm/hより大きく7.5mm/h以下のレンジに含まれる場合は7mm/h(そのレンジの80％の値)に、3mm/hより大きく5mm/h以下のレンジに含まれる場合は4.7mm/h(そのレンジの85％の値)に、1mm/hより大きく3mm/h以下のレンジに含まれる場合は2.8mm/h(そのレンジの90％の値)に、0.5mm/hより大きく1mm/h以下のレンジに含まれる場合は0.975mm/h(そのレンジの95％の値)に、0mm/hより大きく0.5mm/h以下のレンジに含まれる場合は0.5mm/h(そのレンジの100％の値)に、0mm/hはそのまま0mm/hに、それぞれの降雨強度データＲ１〜Ｒ１２（除くＲｎMAX）が換算されて再保存される。
【００８９】
なお、この図１１で示す具体例では、最小のレンジである0mm/hより大きく0.5mm/h以下のレンジに含まれる場合をその100％にあたる値に換算するとしたが、これに限定されるものではない。
【００９０】
（実施例の効果）
図１２は、降雨レーダＲａにより一定周期（５分毎）で一定時間（１時間）観測されたあるメッシュ（地点）の降雨強度データＲ１〜Ｒ１２に基づいて前記各実施例１，１ａ，２，１′，１ａ′，２′の降雨量算定処理に従い総降雨量ＲＴ（ｍｍ）を算定した場合の実測値との誤差を対比して示す図であり、同図（Ａ）は、当該降雨強度データＲ１〜Ｒ１２の変化を示すグラフ、同図（Ｂ）は、当該降雨強度データＲ１〜Ｒ１２の実施例毎の換算値Ｒ１′〜Ｒ１２′と算定された総降雨量ＲＴ（ｍｍ）を実測値と対比させて示すテーブルである。
【００９１】
先ず、対象メッシュに設置された地上雨量計により観測された降雨強度Ｒ１(=6mm/h)〜Ｒ１２(=2mm/h)に基づいて計算された１時間の実測総降雨量ＲＴは“20mm”である。
【００９２】
そして、前記各実施例１，１ａ，２，１′，１ａ′，２′の降雨量算定処理に従い換算した降雨強度Ｒ１′〜Ｒ１２′に基づき算定された１時間の総降雨量ＲＴはそれぞれ、実施例１で“19.46mm”、実施例１ａで“19.71mm”、実施例２で“21.5mm”、実施例１′で“19.79mm”、実施例１ａ′で“19.35mm”、実施例２′で“22.13mm”となる。
【００９３】
これによれば、降雨強度Ｒ１〜Ｒｎをそれぞれその値が含まれる降雨レンジに応じて換算した値を利用して、総降雨量ＲＴを算定したとしても、実測値との間にそれほど大きな誤差が生じないことがわかる。
【００９４】
そして、降雨レーダＲａにより観測された降雨強度Ｒ１〜Ｒｎは、地形によるノイズの問題や、強い降雨の場合にその裏側の降雨強度の計測が難しい問題（信号減衰）等があり、その降雨強度Ｒ１〜Ｒｎの値が必ずしも正確な値を示しているとはいえず、従来あるように、短周期で複数回観測した降雨強度を平均化演算して利用したり、ある地点における実測データとの比に応じて、各地点の降雨強度を補正演算して利用したりしたとしても、レーダ観測された降雨強度Ｒ１〜Ｒｎに内在する誤差を総降雨量ＲＴで十分抑制することはできない。
【００９５】
したがって、前記各実施例１，１ａ，２，１′，１ａ′，２′の降雨量算定処理で説明した通り、降雨レーダＲａから得られた降雨強度Ｒ１〜Ｒｎを降雨レンジに応じて予め設定された換算値で換算して総降雨量ＲＴを算定するという簡単な降雨量算定処理を導入することで、地下街や工事現場、屋外型娯楽施設など、狭い地域や場所で個別に且つ大掛かりな計算機システムを要することなく、容易に実用精度の降雨量を算定して利用したいという昨今のニーズの高まりに対応することができる。
【００９６】
よって、前記各実施例１，１ａ，２，１′，１ａ′，２′の降雨量算定機能によれば、複雑な演算処理を要することなく、ＰＣ（パーソナルコンピュータ）等により狭い地域や場所で個別に且つ容易に実用精度の降雨量を算定し、河川の水位予測、下水道への流入量予測等、各種の予測演算処理に有効利用することが可能となる。
【００９７】
なお、前記実施形態において記載した降雨量算定装置１０による各処理の手法、すなわち、図４のフローチャートに示す降雨量算定処理（１）、図７のフローチャートに示す降雨量算定処理（２）等の各手法は、何れもコンピュータに実行させることができるプログラムとして、メモリカード（ＲＯＭカード、ＲＡＭカード等）、磁気ディスク（フロッピディスク、ハードディスク等）、光ディスク（ＣＤ−ＲＯＭ、ＤＶＤ等）、半導体メモリ等の外部記録媒体１３に格納して配布することができる。そして、降雨レーダＲａにより一定周期で観測される降雨強度データＲ１〜Ｒｎを取得可能な種々のコンピュータ（ＰＣ）は、この外部記録媒体１３に記憶されたプログラムを記憶装置（１２）に読み込み、この読み込んだプログラムによって動作が制御されることにより、前記実施形態において説明した降雨強度データＲ１〜Ｒｎの降雨レンジに応じた設定換算値に基づく降雨量算定機能を実現し、前述した手法による同様の処理を実行することができる。
【００９８】
また、前記各手法を実現するためのプログラムのデータは、プログラムコードの形態として通信ネットワーク（Ｎ）上を伝送させることができ、この通信ネットワーク（Ｎ）に接続されたコンピュータ装置（プログラムサーバ）から前記のプログラムデータを、降雨レーダＲａにより一定周期で観測される降雨強度データＲ１〜Ｒｎを取得可能な種々のコンピュータ（ＰＣ）に取り込んで記憶装置（１２）に記憶させ、前述した降雨強度データＲ１〜Ｒｎの降雨レンジに応じた設定換算値に基づく降雨量算定機能を実現することもできる。
【００９９】
なお、本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【０１００】
Ｒａ…降雨レーダ、ＳＶｓ…信号処理サーバ、ＳＶｄ…配信用サーバ、
Ｎ…ネットワーク、１０…降雨量算定装置（ＰＣ）、１１…ＣＰＵ、１２…記憶装置、
１２ａ…システムプログラム、１２ｂ…通信制御プログラム、
１２ｃ…降雨量算定処理プログラム、１２ｄ…降雨レンジデータ、１３…外部記録媒体、
１４…記録媒体読み取り部、１５…通信部、１６…ＲＡＭ、
１６ａ…データカウンタメモリ（ｎ）、１６ｂ…経過時間メモリ（Ｔ）、
１６ｃ…降雨強度データ（Ｒ１〜Ｒｎ（Ｒ１′〜Ｒｎ′））メモリ、
１６ｄ…最大降雨強度データ（ＲｎMAX）メモリ、１６ｅ…レンジ換算値設定メモリ、
１６ｆ…総降雨量データ（ＲＴ）メモリ、２０…予測演算装置。
【図１】
2014006119.tif 000003
【図２】
2014006119.tif 000004
【図３】
2014006119.tif 000005
【図４】
2014006119.tif 000006
【図５】
2014006119.tif 000007
【図６】
2014006119.tif 000008
【図７】
2014006119.tif 000009
【図８】
2014006119.tif 000010
【図９】
2014006119.tif 000011
【図１０】
2014006119.tif 000012
【図１１】
2014006119.tif 000013
【図１２】
2014006119.tif 000014